(57)【要約】【課題】  携帯電話機等の通信機器に撮像手段が設けられている場合において、その撮像手段の撮影機能を遠隔操作する際、事前に制御情報を送信することなく、かつ旧来の通信機器を用いても遠隔操作できるようにすること。【解決手段】  通信機器１０は、撮像部２２を備える通信機器２０の撮影機能を遠隔操作するように構成される。通信機器２０には、通信機器１０を識別するための登録情報３２が登録されている。通信機器２０の着信待機状態において、特定の相手先となる通信機器１０から音声通話用の着信が検知されると、着信検知部３１は撮影制御部３３に指令を送出し、撮像部２２の撮影動作を制御する。これにより、通信機器２０は着信に応答して撮影動作を行うことができる。【選択図】図１
2005159400.tif 000002
【特許請求の範囲】
【請求項１】
画像を撮影する撮像手段を備えるとともに、有線又は無線通信を行うことによって、他の機器と音声通話を行うことが可能なように構成される通信機器であって、
他の機器からの音声通話用の着信に応答して、前記撮像手段における撮影動作を制御する制御手段を備える通信機器。
【請求項２】
請求項１に記載の通信機器において、
前記制御手段は、前記着信に応答して、前記撮像手段における撮影動作を開始させるものであることを特徴とする通信機器。
【請求項３】
請求項１に記載の通信機器において、
前記制御手段は、前記着信に応答して、前記撮像手段が一定時間ごとに撮影動作を繰り返し行うように制御するものであることを特徴とする通信機器。
【請求項４】
請求項３に記載の通信機器において、
前記撮影手段によって取得される一定時間ごとの画像を、前記着信の相手先となる機器に対して送信する送信手段をさらに備えることを特徴とする通信機器。
【請求項５】
請求項１に記載の通信機器において、
前記制御手段は、前記着信に応答して計時動作を開始し、当該計時動作によって所定時間が計時された場合に、前記撮像手段における撮影動作を開始させるものであることを特徴とする通信機器。
【請求項６】
請求項１乃至５のいずれかに記載の通信機器において、
特定の相手先となる機器を識別するための情報を記憶する記憶手段をさらに備え、
前記制御手段は、前記着信の相手先が前記記憶手段に記憶された特定の相手先であった場合に、前記着信に応答して、前記撮像手段における撮影動作を制御することを特徴とする通信機器。
【請求項７】
請求項２又は５に記載の通信機器において、
前記撮像手段で取得される画像を送信する送信手段をさらに備え、
前記送信手段は、前記制御手段の制御によって撮影動作が行われて取得される画像を、特定の相手先に対して送信することを特徴とする通信機器。
【請求項８】
請求項１に記載の通信機器において、
特定の相手先となる機器を識別するための情報を記憶する記憶手段と、
前記撮像手段で取得される画像を送信する送信手段と、
をさらに備え、
前記制御手段は、着信待機状態において、前記撮像手段が一定時間ごとに撮影動作を繰り返し行うように制御し、前記撮像手段によって取得される一定時間ごとの画像を、前記送信手段を介して、前記記憶手段に記憶された特定の相手先に送信するように構成されるとともに、画像の送信継続中に前記着信があった場合であって、当該着信の相手先が前記記憶手段に記憶された特定の相手先であった場合に、当該着信に応答して、記録用の画像を撮影するための撮影動作を開始させることを特徴とする通信機器。
【請求項９】
請求項４、７又は８に記載の通信機器において、
前記送信手段は、画像の送信をパケット送信で行うことを特徴とする通信機器。
【請求項１０】
画像を撮影する撮像手段を備える第１の通信機器が、第２の通信機器と音声通話を行うことが可能なように構成される通信システムであって、
前記第１の通信機器は、前記第２の通信機器からの音声通話用の着信に応答して、前記撮像手段における撮影動作を制御することを特徴とする通信システム。
【請求項１１】
請求項１０に記載の通信システムにおいて、
前記第１の通信機器は、前記着信に応答して、前記撮像手段における撮影動作を開始させるものであることを特徴とする通信システム。
【請求項１２】
請求項１０に記載の通信システムにおいて、
前記第１の通信機器は、前記着信に応答して、前記撮像手段が一定時間ごとに撮影動作を繰り返し行うように構成されるものであることを特徴とする通信システム。
【請求項１３】
請求項１２に記載の通信システムにおいて、
前記第１の通信機器は、前記撮影手段によって取得される一定時間ごとの画像を、前記第２の通信機器に対して送信する送信手段を備えて構成され、
前記第２の通信機器は、前記第１の通信機器から受信する一定時間ごとの画像を表示することを特徴とする通信システム。
【請求項１４】
請求項１０に記載の通信システムにおいて、
前記第１の通信機器は、前記着信に応答して計時動作を開始し、当該計時動作によって所定時間が計時された場合に、前記撮像手段における撮影動作を開始させるものであることを特徴とする通信システム。
【請求項１５】
請求項１０乃至１４のいずれかに記載の通信システムにおいて、
前記第１の通信機器は、特定の相手先となる前記第２の通信機器を識別するための情報を記憶しておき、当該情報に基づいて前記着信の相手先が前記第２の通信機器であると判定された場合に、前記着信に応答して、前記撮像手段における撮影動作を制御することを特徴とする通信システム。
【請求項１６】
請求項１１又は１４に記載の通信システムにおいて、
前記第１の通信機器は、前記着信に応答して取得される画像を、前記第２の通信機器に対して送信するように構成され、
前記第２の通信機器は、前記第１の通信機器から受信する画像を表示することを特徴とする通信システム。
【請求項１７】
請求項１０に記載の通信システムにおいて、
前記第１の通信機器は、着信待機状態において、前記撮像手段が一定時間ごとに撮影動作を繰り返し行うように制御し、前記撮像手段によって取得される一定時間ごとの画像を、前記第２の通信機器に対して送信するように構成されるとともに、画像の送信継続中に、前記第２の通信機器から前記着信があった場合に、当該着信に応答して、記録用の画像を撮影するための撮影動作を開始させることを特徴とする通信システム。
【請求項１８】
請求項１３、１６又は１７に記載の通信システムにおいて、
前記第１の通信機器は、前記第２の通信機器に対し、パケット送信で画像の送信を行うことを特徴とする通信システム。
【請求項１９】
画像を撮影する撮像手段を備え、有線又は無線通信を行うことによって、他の機器と音声通話を行うことが可能なように構成される通信機器、に内蔵されるコンピュータによって実行可能な通信機器用プログラムであって、
着信待機状態において前記コンピュータに実行されることにより、前記コンピュータを、
他の機器からの音声通話用の着信に応答して、前記撮像手段における撮影動作を制御する制御手段として機能させることを特徴とする通信機器用プログラム。
【発明の詳細な説明】
【技術分野】
【０００１】
本発明は、撮影機能を有する携帯電話機等の通信機器に関するものであり、撮影機能を遠隔制御するための技術に関する。
【背景技術】
【０００２】
近年、小型カメラを内蔵した携帯電話機が急速に普及するとともに、その撮影機能も年々多様化してきている。特に、携帯電話機の通信機能を利用して、一方の携帯電話機から他方の携帯電話機に設けられた撮像手段を遠隔制御することが可能になりつつある。例えば、特許文献１には、撮像手段を備えた一方の携帯電話機が、通信相手となる他方の携帯電話機に対して、自己の撮影機能を制御するための制御情報を予め送出し、他方の携帯電話機が、一方の携帯電話機の撮影機能を制御しようとする際には、受信した制御情報に基づいて、制御信号を生成して送信する技術が記載されている。
【０００３】
【特許文献１】特開２００２−５１３１３号公報
【発明の開示】
【発明が解決しようとする課題】
【０００４】
特許文献１の技術では、撮像手段を有する携帯電話機が相手先に対して予め、自己の撮影機能を制御するための制御情報を送出する必要がある。そのため、遠隔操作を行うための準備に時間がかかり、効率的に撮影を行うことができないという問題があった。
【０００５】
また、遠隔制御を行う側の携帯電話機は、相手側から受信した制御情報を解読し、相手側の撮像手段を駆動するのに適した制御信号を生成する必要がある。このため、遠隔制御を行う側の携帯電話機は、受信した制御情報を処理するための専用機能が必要であり、旧来の携帯電話機では相手の撮影機能を遠隔制御することができないという問題があった。
【０００６】
そこで、本発明は、上記課題を解決するためになされたものであり、携帯電話機等の通信機器に撮像手段が設けられている場合において、その撮像手段の撮影機能を遠隔操作する際、事前に制御情報を送信することなく、かつ、遠隔制御を行う側の機器として旧来の通信機器を用いても遠隔操作できる技術を提供することを、その目的とするものである。
【課題を解決するための手段】
【０００７】
請求項１に記載の発明は、画像を撮影する撮像手段を備えるとともに、有線又は無線通信を行うことによって、他の機器と音声通話を行うことが可能なように構成される通信機器であって、他の機器からの音声通話用の着信に応答して、前記撮像手段における撮影動作を制御する制御手段を備えて構成されるものである。
【０００８】
請求項２に記載の発明は、請求項１に記載の通信機器において、前記制御手段が、前記着信に応答して、前記撮像手段における撮影動作を開始させるものである。
【０００９】
請求項３に記載の発明は、請求項１に記載の通信機器において、前記制御手段が、前記着信に応答して、前記撮像手段が一定時間ごとに撮影動作を繰り返し行うように制御するものである。
【００１０】
請求項４に記載の発明は、請求項３に記載の通信機器において、前記撮影手段によって取得される一定時間ごとの画像を、前記着信の相手先となる機器に対して送信する送信手段をさらに備えて構成されるものである。
【００１１】
請求項５に記載の発明は、請求項１に記載の通信機器において、前記制御手段が、前記着信に応答して計時動作を開始し、当該計時動作によって所定時間が計時された場合に、前記撮像手段における撮影動作を開始させるものである。
【００１２】
請求項６に記載の発明は、請求項１乃至５のいずれかに記載の通信機器において、特定の相手先となる機器を識別するための情報を記憶する記憶手段をさらに備え、前記制御手段が、前記着信の相手先が前記記憶手段に記憶された特定の相手先であった場合に、前記着信に応答して、前記撮像手段における撮影動作を制御するものである。
【００１３】
請求項７に記載の発明は、請求項２又は５に記載の通信機器において、前記撮像手段で取得される画像を送信する送信手段をさらに備え、前記送信手段が、前記制御手段の制御によって撮影動作が行われて取得される画像を、特定の相手先に対して送信することを特徴とするものである。
【００１４】
請求項８に記載の発明は、請求項１に記載の通信機器において、特定の相手先となる機器を識別するための情報を記憶する記憶手段と、前記撮像手段で取得される画像を送信する送信手段と、をさらに備え、前記制御手段は、着信待機状態において、前記撮像手段が一定時間ごとに撮影動作を繰り返し行うように制御し、前記撮像手段によって取得される一定時間ごとの画像を、前記送信手段を介して、前記記憶手段に記憶された特定の相手先に送信するように構成されるとともに、画像の送信継続中に前記着信があった場合であって、当該着信の相手先が前記記憶手段に記憶された特定の相手先であった場合に、当該着信に応答して、記録用の画像を撮影するための撮影動作を開始させることを特徴とするものである。
【００１５】
請求項９に記載の発明は、請求項４、７又は８に記載の通信機器において、前記送信手段が、画像の送信をパケット送信で行うことを特徴とするものである。
【００１６】
請求項１０に記載の発明は、画像を撮影する撮像手段を備える第１の通信機器が、第２の通信機器と音声通話を行うことが可能なように構成される通信システムであって、前記第１の通信機器が、前記第２の通信機器からの音声通話用の着信に応答して、前記撮像手段における撮影動作を制御することを特徴とするものである。
【００１７】
請求項１１に記載の発明は、請求項１０に記載の通信システムにおいて、前記第１の通信機器が、前記着信に応答して、前記撮像手段における撮影動作を開始させるものである。
【００１８】
請求項１２に記載の発明は、請求項１０に記載の通信システムにおいて、前記第１の通信機器が、前記着信に応答して、前記撮像手段が一定時間ごとに撮影動作を繰り返し行うように構成されるものである。
【００１９】
請求項１３に記載の発明は、請求項１２に記載の通信システムにおいて、前記第１の通信機器が、前記撮影手段によって取得される一定時間ごとの画像を、前記第２の通信機器に対して送信する送信手段を備えて構成され、前記第２の通信機器が、前記第１の通信機器から受信する一定時間ごとの画像を表示するように構成されることを特徴とするものである。
【００２０】
請求項１４に記載の発明は、請求項１０に記載の通信システムにおいて、前記第１の通信機器が、前記着信に応答して計時動作を開始し、当該計時動作によって所定時間が計時された場合に、前記撮像手段における撮影動作を開始させるものである。
【００２１】
請求項１５に記載の発明は、請求項１０乃至１４のいずれかに記載の通信システムにおいて、前記第１の通信機器が、特定の相手先となる前記第２の通信機器を識別するための情報を記憶しておき、当該情報に基づいて前記着信の相手先が前記第２の通信機器であると判定された場合に、前記着信に応答して、前記撮像手段における撮影動作を制御することを特徴とするものである。
【００２２】
請求項１６に記載の発明は、請求項１１又は１４に記載の通信システムにおいて、前記第１の通信機器が、前記着信に応答して取得される画像を、前記第２の通信機器に対して送信するように構成され、前記第２の通信機器が、前記第１の通信機器から受信する画像を表示するように構成されることを特徴とするものである。
【００２３】
請求項１７に記載の発明は、請求項１０に記載の通信システムにおいて、前記第１の通信機器は、着信待機状態において、前記撮像手段が一定時間ごとに撮影動作を繰り返し行うように制御し、前記撮像手段によって取得される一定時間ごとの画像を、前記第２の通信機器に対して送信するように構成されるとともに、画像の送信継続中に、前記第２の通信機器から前記着信があった場合に、当該着信に応答して、記録用の画像を撮影するための撮影動作を開始させることを特徴とするものである。
【００２４】
請求項１８に記載の発明は、請求項１３、１６又は１７に記載の通信システムにおいて、前記第１の通信機器が、前記第２の通信機器に対し、パケット送信で画像の送信を行うことを特徴とするものである。
【００２５】
請求項１９に記載の発明は、画像を撮影する撮像手段を備え、有線又は無線通信を行うことによって、他の機器と音声通話を行うことが可能なように構成される通信機器、に内蔵されるコンピュータによって実行可能な通信機器用プログラムであって、着信待機状態において前記コンピュータに実行されることにより、前記コンピュータを、他の機器からの音声通話用の着信に応答して、前記撮像手段における撮影動作を制御する制御手段として機能させることを特徴とするものである。
【発明の効果】
【００２６】
請求項１及び１０に記載の発明によれば、他の機器からの音声通話用の着信に応答して、撮像手段における撮影動作を制御するので、撮像手段による撮影機能を遠隔操作する際には音声通話用の発信を行うだけでよく、事前に制御情報を送信することなく、簡単な遠隔操作が実現される。そのため、効率的に撮影を開始することができるとともに、旧来の通信機器を用いても遠隔操作を行うことができる。
【００２７】
請求項２及び１１に記載の発明によれば、着信に応答して、撮像手段における撮影動作を開始させるので、着信に応答して画像を取得することができる。
【００２８】
請求項３及び１２に記載の発明によれば、着信に応答して、撮像手段が一定時間ごとに撮影動作を繰り返し行うので、動画的な画像を取得することができる。
【００２９】
請求項４及び１３に記載の発明によれば、撮影手段によって取得される一定時間ごとの画像を、着信の相手先となる機器に対して送信するので、相手先の機器では動画的な画像を表示することができる。このため、例えばフレーミング操作やレリーズタイミングの把握などを容易に行うことができる。
【００３０】
請求項５及び１４に記載の発明によれば、着信に応答して計時動作を開始し、当該計時動作によって所定時間が計時された場合に、撮像手段における撮影動作を開始させるので、セルフタイマ撮影を遠隔操作することができる。
【００３１】
請求項６及び１５に記載の発明によれば、特定の相手先となる機器を識別するための情報を記憶しておき、着信の相手先が前記特定の相手先であった場合、その着信に応答して、撮像手段における撮影動作を制御するので、特定の相手先以外の機器から着信した場合には通常の音声通話を行うことができる。
【００３２】
請求項７及び１６に記載の発明によれば、制御手段の制御によって撮影動作が行われて取得される画像を、特定の相手先に対して送信するので、特定の相手先の機器では撮影動作によって取得された画像を表示することができる。そのため、特定の相手先の機器で画像を確認することができる。
【００３３】
請求項８及び１７に記載の発明によれば、着信待機状態において、撮像手段が一定時間ごとに撮影動作を繰り返し行うように制御し、撮像手段によって取得される一定時間ごとの画像を、特定の相手先に送信するように構成されるとともに、画像の送信継続中に着信があった場合であって、当該着信の相手先が特定の相手先であった場合に、当該着信に応答して、記録用の画像を撮影するための撮影動作を開始させるので、特定の相手先となる機器で、発信を行う前の画像を確認することができるとともに、記録用の画像を撮影する際には発信を行うだけでよい。よって、遠隔操作を行う際の操作性が向上する。
【００３４】
請求項９及び１８に記載の発明によれば、画像の送信はパケット送信で行われるので、既存の送信方式を利用しており、低コストで通信機器を構築できる。
【００３５】
請求項１９に記載の発明によれば、通信機器に対して通信機器用プログラムを記憶させ、コンピュータがその通信機器用プログラムを実行するだけで、他の機器より簡単に撮影動作の遠隔操作が行われる通信機器が実現される。
【発明を実施するための最良の形態】
【００３６】
以下、本発明の実施の形態について図面を参照しつつ詳細に説明する。ただし、以下においては主として、携帯電話機を例に挙げて説明する。
【００３７】
＜第１の実施の形態＞
まず、第１の実施の形態について説明する。図１は本実施形態における通信システム１の構成例を示すブロック図である。図１に示すように、本通信システム１は２台の通信機器１０，２０が互いに通信可能なように構成されている。各通信機器１０，２０は例えば携帯電話機として実現されるものである。そのため、通信機器１０，２０はそれぞれ通話機能を有しており、一方の通信機器から音声通話用の発信を行い、他方の通信機器が着信し、他方側の通信機器で通話開始ボタンを押すことなどによって、２つの通信機器１０，２０間で音声通話を行うことができるようになっている。
【００３８】
また、通信機器２０は通話機能の他に撮影機能を備えて構成される。そして通信システム１は、通信機器１０の通話発信機能によって通信機器２０の撮影機能を制御するように構成される。このため、通信機器１０は通信機器２０の撮影機能を遠隔制御する制御機となり、通信機器２０は通信機器１０によって制御される被制御機となる。
【００３９】
まず、制御機である通信機器１０について説明する。通信機器１０は、表示部１１、スピーカ１２、マイク１３、操作部１４、ＣＰＵ１５、送受信部１６、及びアンテナ１７を備えて構成される。表示部１１は小型液晶表示器等で構成される表示部であり、発着信時における電話番号表示を行ったり、各種画像表示を行うものである。スピーカ１２及びマイク１３は、音声通話用の音声入出力手段である。操作部１４は、通信機器１０の番号ボタンや通話開始ボタン等の各種操作ボタンを含むものであり、ユーザによって操作可能な部材である。ＣＰＵ１５は、通信機器１０に設けられる各部を制御するものであり、発着信時に適切な処理を行って通信機器１０の通話機能を実現する。送受信部１６は、アンテナ１７に対して信号を送出したり、アンテナ１７から受信する信号をＣＰＵ１５に与える機能を有する。アンテナ１７は、相手側の通信機器２０と基地局を介して間接的若しくは直接的に無線通信を行う。
【００４０】
次に、被制御機である通信機器２０について説明する。通信機器２０は、表示部２１、撮像部２２、メモリ２３、スピーカ２４、マイク２５、操作部２６、送受信部２７、アンテナ２８及びＣＰＵ３０を備えて構成される。表示部２１は小型液晶表示器等で構成される表示部であり、発着信時における電話番号表示を行ったり、各種画像表示を行うものである。スピーカ２４及びマイク２５は、音声通話用の音声入出力手段である。操作部２６は、通信機器２０の番号ボタンや通話開始ボタン等の各種操作ボタンを含むものであり、ユーザによって操作可能な部材である。送受信部２７は、アンテナ２８に対して信号を送出したり、アンテナ２８から受信する信号をＣＰＵ３０に与える機能を有する。アンテナ２８は、相手側の通信機器１０と基地局を介して間接的若しくは直接的に無線通信を行う。
【００４１】
また、撮像部２２は、ＣＣＤイメージセンサ等の撮像素子と、撮影光学系とを備えて構成され、撮影光学系を介して撮像素子に結像される被写体像を光電変換して電子的な画像データを生成するものである。メモリ２３は画像データやプログラム等の情報を記憶するものである。
【００４２】
ＣＰＵ３０は、マイクロコンピュータを備えて構成され、メモリ２３に格納されるプログラムを実行することにより、通信機器２０に設けられる各部を制御するものである。特に、ＣＰＵ３０は、着信待機状態においてメモリ２３に格納される通信機器用プログラムを実行することにより、着信待機時に特定の相手からの着信があった場合、その着信に応答して撮像部２２を制御するように構成される。このため、ＣＰＵ３０は、着信検知部３１及び撮影制御部３３として機能する。
【００４３】
着信検知部３１は、着信待機状態において他の通信機器等からの着信を検知するものである。また、着信検知部３１には、特定の相手先からの着信であるか否かを判定するために登録情報３２が記憶されている。登録情報３２は、特定の相手先となる通信機器１０を識別するための情報であり、例えば通信機器１０の電話番号が含まれた情報である。
【００４４】
撮影制御部３３は撮像部２２に対して制御信号を送出することにより、通信機器２０の撮影機能を制御するものである。このため撮像部２２は、撮影制御部３３からの指令に基づくタイミングで撮影動作を行い、それによって得られる画像をＣＰＵ３０に出力する。撮影動作によって取得される画像は、例えばＣＰＵ３０の制御によってメモリ２３に保存される。
【００４５】
また、ＣＰＵ３０は、着信待機時に特定の相手以外からの着信があった場合、その相手と通常の音声通話を行うための処理を実行する。
【００４６】
次に、上記のような構成の通信システム１における動作について説明する。図２は、上記構成の通信システム１における処理手順を示すフローチャートである。
【００４７】
まず、被制御機となる通信機器２０においてＣＰＵ３０が通信機器用プログラムを起動する（ステップＳ２００）。これにより、以降の動作手順が進められるようになる。
【００４８】
そして、特定の相手先を登録するための処理が行われる（ステップＳ２０１）。例えば、ユーザが通信機器２０の操作部２６を直接操作することによって特定の相手先（本実施形態においては通信機器１０）の電話番号を入力した場合には、その電話番号を登録情報３２として登録する。また、特定の相手先となる通信機器１０から通信機器２０に対して発信してもらい、そのときの着信情報から相手先（通信機器１０）の電話番号を取得して登録情報３２として登録してもよい。後者の場合は、その後に通信機器１０を用いて通信機器２０の撮影制御を行うときに、リダイヤル操作を行うだけでよいため、簡単に撮影制御の指示ができるという利点がある。上記のような登録処理により、通信機器２０に対して特定の相手先（通信機器１０）が制御機として登録される。
【００４９】
その後、通信機器２０は着信待機状態となり、他の通信機器からの着信が検知されるまで、処理が進行しない（ステップＳ２０２）。このとき、通信機器１０を用いて、通信機器２０に対する音声通話用の発信操作が行われる（ステップＳ１００）。つまり、通信機器１０から通信機器２０に対して電話をかける操作がなされるのである。そして通信機器１０から発信されると、通信機器２０の着信検知部３１が着信を検知し（ステップＳ２０２にてＹｅｓ）、ステップＳ２０３に進む。
【００５０】
そして着信検知部３１は、着信の相手先を確認するための処理を行う（ステップＳ２０３）。すなわち、ステップＳ２０２で検知した着信の着信情報から着信相手の電話番号を検知し、その着信相手先番号が、登録情報３２に登録された特定の相手先の電話番号に一致するか否かの判定を行う。その結果、ステップＳ２０２で検知された着信の相手先が、登録された特定の相手先（すなわち、通信機器１０）であった場合、ステップＳ２０４に進む。これに対し、ステップＳ２０２で検知された着信の相手先が、登録された特定の相手先でなかった場合には、通常の音声通話を行うための処理に移行し、ステップＳ２０４以降の処理には進まない。撮影を優先させるため、特定の相手でなかった場所に着信を受け付けないようにしてもよい。
【００５１】
ステップＳ２０４に進むと、着信検知部３１は撮影制御部３３に撮影機能を制御するように指令する。またこのとき、通信機器２０は、通信機器１０からの着信状態（呼び出しを行っている状態）を強制的に切断する。
【００５２】
そして撮影制御部３３は撮像部２２に電力供給を開始し、撮影機能の立ち上げ動作を行う（ステップＳ２０４）。そして立ち上げ終了後、撮影制御部３３は、撮像部２２を制御して、記録用となる画像を撮影するための撮影動作を行わせる（ステップＳ２０５）。撮影動作によって取得される画像は、メモリ２３に記録保存される（ステップＳ２０６）。
【００５３】
以上で通信機器２０の処理が終了することになる。ただし、ステップＳ２０６の画像記録が行われた後、再び着信を待機する状態（ステップＳ２０２）に戻るようにしてもよく、その場合は連続撮影を行うことが可能になる。
【００５４】
上記のような処理が行われることにより、通信機器１０から通信機器２０に対して電話をかけるだけで、通信機器２０はその着信をレリーズトリガに変換して撮影動作を開始し、画像取得が行われる。そのため、通信機器２０のユーザを含めた集合写真を簡単に撮影することができる。例えば、通信機器２０を固定し、その撮影範囲内に、通信機器２０のユーザと通信機器１０のユーザとが入った状態で、通信機器１０のユーザが通信機器２０に対して電話をかける操作を行えば、通信機器２０において画像撮影が行われる。
【００５５】
以上のように、本実施形態の通信機器２０は、画像を撮影することのできる撮像部２２を備えており、他の機器、特に予め登録された特定の機器からの音声通話用の着信に応答して、撮像部２２の撮影動作を制御し、画像を取得するように構成されているので、制御機となる通信機器１０は通信機器２０に対して音声通話用の発信を行うだけで、通信機器２０の撮影機能を遠隔操作でき、発信を行ったタイミングで画像の撮影を行わせることができる。そのため、事前に制御情報等を交換する必要がなく、制御機である通信機器１０としては、旧来の音声通話を行うための発信機能を有すれば通信機器２０の撮影機能を制御できる。
【００５６】
また、被制御機である通信機器２０としては、待ち受けアプリケーション等と呼ばれるプログラムであって一般に着信待機状態においてＣＰＵ３０に実行されているプログラムを、上述した通信機器用プログラムに置き換えるだけで、特定の相手先からの着信があったときに撮影動作を行うことできるようになる。また、通信機器用プログラムを、通信機器の機種に依存しないプログラム（たとえば、Ｊａｖａプログラムなど）として作成することにより、通信機器用プログラムを汎用プログラムとして使用できるようになる。その結果、例えば、上記通信機器用プログラムをサーバからダウンロードして使用することなども可能になる。また、機種毎の専用プログラムを開発する場合に比べて開発コストを抑えることができる。また、カメラ付き携帯電話機等と呼ばれる旧来の通信機器に、上述した通信機器用プログラムを記憶させて実行させるだけで、本実施形態における通信機器２０が実現されるため、通信システム１のシステム全体としての開発コストも低減される。
【００５７】
また、通信機器２０は、相手先の通信機器１０に対して事前に制御情報を送信するための処理を行う必要がないので、効率的に撮影動作を開始することができ、迅速な撮影が可能である。
【００５８】
また、通信機器２０は、特定の相手先から着信があった場合、その着信を通話状態に接続することなく、切断してしまうので、通信機器１０から通信機器２０の撮影機能を制御する際に、通信料が課金されることはなく、低コストな遠隔制御が実現される。
【００５９】
＜第２の実施の形態＞
次に、第２の実施の形態について説明する。図３は本実施形態における通信システム１ａの構成例を示すブロック図である。なお、図３に示す構成部材のうち、図１に示したものと同様の部材については同一符号を付しており、ここではそれらの説明を省略する。
【００６０】
本通信システム１ａは、第１の実施の形態と同様に、２台の通信機器１０，２０ａが互いに通信可能なように構成されており、通信機器２０ａが撮影機能を有し、特定の通信機器１０によってその撮影機能が制御される。
【００６１】
通信機器２０ａはタイマ機能部３４を備えており、特定の相手先（通信機器１０）からの着信を検知すると、タイマ機能部３４によるセルフタイマが作動し、所定時間経過後に撮影動作を開始して画像取得を行う。
【００６２】
図４は、本実施形態の通信システム１ａにおける処理手順を示すフローチャートである。まず、被制御機となる通信機器２０ａにおいてＣＰＵ３０が通信機器用プログラムを起動する（ステップＳ２１０）。これにより、以降の動作手順が進められるようになる。
【００６３】
そして、特定の相手先を登録するための処理が行われる（ステップＳ２１１）。ステップＳ２１１では、図２に示したステップＳ２０１の処理と同様にして特定の相手先となる通信機器１０の登録処理が行われる。
【００６４】
登録処理が終了すると、通信機器２０ａは着信待機状態となり、他の通信機器からの着信が検知されるまで、処理が進行しない（ステップＳ２１２）。このとき、通信機器１０が通信機器２０ａに対して音声通話用の発信を行えば（ステップＳ１１０）、通信機器２０ａの着信検知部３１が着信を検知し（ステップＳ２１２にてＹｅｓ）、ステップＳ２１３に進む。
【００６５】
そして着信検知部３１は、着信の相手先を確認するための処理を行う（ステップＳ２１３）。ステップＳ２１３では、図２に示したステップＳ２０３の処理と同様にして着信相手先の確認処理が行われる。その結果、ステップＳ２１２で検知された着信の相手先が、予め登録された特定の相手先（すなわち、通信機器１０）であった場合、ステップＳ２１４に進む。これに対し、ステップＳ２１２で検知された着信の相手先が、登録された特定の相手先でなかった場合には、通常の音声通話を行うための処理に移行し、ステップＳ２１４以降の処理には進まない。第１の実施の形態と同様に、特定の相手以外からの着信であった場合にこれを受け付けないようにすることもできる。
【００６６】
ステップＳ２１４に進むと、着信検知部３１はタイマ機能部３４にタイマカウント動作を開始するように指令し、タイマ機能部３４はこの指令に応答してカウント動作を開始する。またこのとき、通信機器２０は、通信機器１０からの着信状態（呼び出しを行っている状態）を強制的に切断する。
【００６７】
そしてタイマ機能部３４は、所定時間（例えば１０秒程度）が経過するまでタイマのカウント動作を繰り返す（ステップＳ２１５）。そして予め定められたカウント数がカウントされ、所定時間が経過したと判断された場合には、撮影制御部３３に対して、撮影機能を制御するように指令する。
【００６８】
撮影制御部３３は撮像部２２に電力供給を開始し、撮影機能の立ち上げ動作を行う（ステップＳ２１６）。そして立ち上げ終了後、撮影制御部３３は、撮像部２２を制御して、記録用となる画像を撮影するための撮影動作を行わせ（ステップＳ２１７）、それによって取得される画像をメモリ２３に記録保存する（ステップＳ２１８）。
【００６９】
以上で通信機器２０ａの処理が終了することになる。ただし、ステップＳ２１８の画像記録が行われた後、再び着信を待機する状態（ステップＳ２１２）に戻るようにしてもよく、その場合は連続撮影を行うことが可能になる。
【００７０】
上記のような処理が行われることにより、通信機器１０から通信機器２０ａに対して電話をかけるだけで、通信機器２０はその着信から所定時間経過後にレリーズトリガを発生させて撮影動作を開始し、画像取得が行われる。そのため、通信機器２０のユーザを含めた集合写真をセルフタイマ撮影することができる。例えば、通信機器２０を固定し、その撮影範囲内に、通信機器２０のユーザと通信機器１０のユーザとが入った状態で、通信機器１０のユーザが通信機器２０に対して電話をかける操作を行えば、通信機器２０において所定時間経過後に画像撮影が行われる。
【００７１】
以上のように、本実施形態の通信機器２０ａもまた、画像を撮影することのできる撮像部２２を備えており、他の機器、特に予め登録された特定の機器からの音声通話用の着信に応答して、撮像部２２の撮影動作を制御するように構成される。このため、通信機器２０ａは、第１の実施の形態と同様の効果を奏する。加えて、上記の通信機器２０ａを用いることにより、セルフタイマ撮影が可能になる。
【００７２】
なお、通信機器２０ａに対して、予めセルフタイマ撮影を行うか否かを設定するようにし、セルフタイマ撮影が設定されている場合に、図４のフローチャートを行うようにしてもよい。ただし、セルフタイマ撮影が設定されていない場合には、第１の実施の形態と同様の処理が行われる。
【００７３】
＜第３の実施の形態＞
次に、第３の実施の形態について説明する。図５は本実施形態における通信システム１ｂの構成例を示すブロック図である。なお、図５に示す構成部材のうち、図１又は図３に示したものと同様の部材については同一符号を付しており、ここではそれらの説明を省略する。
【００７４】
本通信システム１ｂもまた、上記各実施形態と同様に、２台の通信機器１０，２０ｂが互いに通信可能なように構成されており、通信機器２０ｂが撮影機能を有し、特定の通信機器１０によってその撮影機能が制御される。
【００７５】
通信機器２０ｂは画像送信部３５を備えており、撮像部２２によって取得される画像を通信機器１０に送信することができるように構成される。具体的には、画像送信部３５は、撮像部２２から得られる画像を複数パケットに分割し、各パケットを送受信部２７に出力する。そして送受信部２７は画像送信部３５から入力する各パケットに基づく情報をアンテナ２８に送出することにより、通信機器１０に送信する。このように画像送信部３５は、画像を通信機器１０に送信する際、その画像の送信をパケット通信で行うように構成される。
【００７６】
通信機器２０ｂが画像送信機能を有することにより、通信機器１０は通信機器２０ｂから受信する画像を表示部１１に表示することができるようになる。そのため、通信機器１０から通信機器２０ｂに対して撮影指示を与える前であれば、通信機器１０のユーザはその表示画像を視認しながら、フレーミング状態やレリーズタイミングの判断を行うことができるし、撮影指示を与えた後であれば、通信機器１０のユーザはその撮影指示に応答して取得された記録用画像の画像確認を行うことができる。
【００７７】
以下、通信システム１ｂの動作について説明する。図６は、本実施形態の通信システム１ｂにおける処理手順を示すフローチャートである。まず、被制御機となる通信機器２０ｂにおいてＣＰＵ３０が通信機器用プログラムを起動する（ステップＳ２２０）。これにより、以降の動作手順が進められるようになる。
【００７８】
そして、特定の相手先を登録するための処理が行われる（ステップＳ２２１）。ステップＳ２２１では、図２に示したステップＳ２０１の処理と同様にして特定の相手先となる通信機器１０の登録処理が行われる。また、本実施形態では、この登録処理のときに、アフタービューを行うか否かの設定が行われる。アフタービューとは、記録用画像を撮影した場合、その撮影直後にその画像を確認できるように、画像表示を行う機能である。
【００７９】
登録処理が終了すると、通信機器２０ｂは着信待機状態となり、他の通信機器からの着信が検知されるまで、処理が進行しない（ステップＳ２２２）。このとき、通信機器１０が通信機器２０ｂに対して音声通話用の発信を行えば（ステップＳ１２０）、通信機器２０ｂの着信検知部３１が着信を検知し（ステップＳ２２２にてＹｅｓ）、ステップＳ２２３に進む。
【００８０】
そして着信検知部３１は、着信の相手先を確認するための処理を行う（ステップＳ２２３）。ステップＳ２２３では、図２に示したステップＳ２０３の処理と同様にして着信相手先の確認処理が行われる。その結果、ステップＳ２２２で検知された着信の相手先が、予め登録された特定の相手先（すなわち、通信機器１０）であった場合、ステップＳ２２４に進む。これに対し、ステップＳ２２２で検知された着信の相手先が、登録された特定の相手先でなかった場合には、通常の音声通話を行うための処理に移行し、ステップＳ２２４以降の処理には進まない。あるいは前述の実施の形態同様、着信を受け付けない。
【００８１】
ステップＳ２２４に進むと、着信検知部３１は撮影制御部３３に撮影制御を開始するように指令し、撮影制御部３３はこの指令に応答して撮像部２２を立ち上げる。またこのとき、通信機器２０は、通信機器１０からの着信状態（呼び出しを行っている状態）を通話接続状態に切り換える。
【００８２】
撮像部２２の立ち上げ終了後、撮影制御部３３は、撮像部２２を制御して、画像撮影を行う（ステップＳ２２５）。このとき取得される画像は、画像送信部３５に与えられ、通信機器１０にパケット送信される（ステップＳ２２６）。通信機器１０は、ステップＳ２２６において送信される画像を受信し、その画像を表示部１１に表示させる（ステップＳ１２１）。
【００８３】
通信機器２０ｂは画像送信を行うと、通信機器１０から撮影指示を受信したか否かを判定する（ステップＳ２２７）。通信機器２０ｂと通信機器１０とは通話接続状態にあり、通信機器１０のユーザが例えば番号ボタン、＃ボタン若しくは＊ボタンの押下操作を行えば、それに対応するボタン信号が通信機器２０ｂに送出される状態にある（ステップＳ１２２）。したがって、通信機器２０ｂは通話接続状態において通信機器１０から何らかのボタン信号を受信した場合には、そのボタン信号の受信が撮影指示であると判定する。また、通信機器２０ｂは、通信機器１０からボタン信号を受信しなかった場合には撮影指示がないものとしてステップＳ２２５に戻る。
【００８４】
なお、通信機器２０ｂと通信機器１０との間で予め撮影指示に対応するボタンを定めておき、撮影指示に対応するボタンのボタン信号を受信した場合にのみ、撮影指示があったものと判定し、それ以外のボタン信号を受信した場合には撮影指示がないものと判定するようにしてもよい。
【００８５】
通信機器２０ｂでは、通信機器１０からの撮影指示を受信しなかった場合、ステップＳ２２５〜Ｓ２２７の処理が繰り返し実行されることになる。この繰り返し処理を一定時間間隔で行うことにより、通信機器２０ｂでは一定時間毎に画像撮影が行われ、それによって取得される画像は一定時間毎に通信機器１０にパケット送信される。このような繰り返し処理が例えば１秒間に数回〜数十回行われることにより、通信機器１０は、その表示部１１に表示される画像を動画的に順次更新して表示することができ、通信機器２０ｂでの撮影動作に連動したリアルタイムな画像表示が実現される。このため、通信機器１０のユーザはその表示部１１の表示画面を視認することによって、フレーミング状態を確認したり、レリーズタイミングを把握することができる。
【００８６】
そして通信機器１０のユーザは、表示画面を視認しつつ、所望のタイミングで操作部１４のボタン操作を行うことにより、通信機器２０ｂに撮影指示を与えることができる。
【００８７】
通信機器２０ｂは通信機器１０から撮影指示を受信すると、記録用の画像を取得するための撮影動作を行う（ステップＳ２２８）。ここでの撮影動作は、ステップＳ２２５の撮影動作とは異なるようにしてもよい。例えば、ステップＳ２２５の撮影動作は通信機器１０に送信すべき画像を取得する撮影動作であるので、解像度を低下させて撮影することにより送信すべきデータ量を低減させる一方、ステップＳ２２８の撮影動作は記録用の画像を取得する撮影動作であるので、解像度を高解像度に設定して撮影することにより、高画質の画像を記録できるしてもよい。
【００８８】
そして記録用の画像の撮影が終了すると、ＣＰＵ３０はアフタービュー設定が行われているか否かを判定する（ステップＳ２２９）。アフタービュー設定が行われている場合は、ステップＳ２３０に進み、行われていない場合はステップＳ２３１に進む。
【００８９】
通信機器２０ｂに対して撮影指示を与えたのは、通信機器２０ｂに登録された通信機器１０であるため、アフタービュー表示は通信機器１０の表示部１１にて行われることが好ましい。そのため、アフタービュー設定が行われている場合は、ステップＳ２２８の撮影動作によって取得された撮影画像を通信機器１０に対してパケット送信する（ステップＳ２３０）。これにより、通信機器１０の表示部１１には撮影画像が表示され（ステップＳ１２３）、通信機器１０のユーザは撮影画像の状態を直ちに確認することができる。そして撮影が失敗していた場合には、その場で撮り直しすることができる。
【００９０】
ステップＳ２３１では、通信機器２０ｂのＣＰＵ３０が、ステップＳ２２８で取得された画像をメモリ２３に記録保存する。
【００９１】
以上で通信機器２０ｂの処理が終了することになる。ただし、ステップＳ２３１の画像記録が行われた後、再び一定時間毎の画像撮影と送信とを繰り返す状態（ステップＳ２２５）に戻るようにしてもよく、その場合は連続撮影を行うことが可能になる。
【００９２】
なお、上記処理手順では、通信機器２０ｂにおいて、通信機器１０からの着信があった場合、必ず、ステップＳ２２５〜Ｓ２２７の処理を行い、画像取得動作を一定時間毎に繰り返し行う場合を例示したが、このような処理を選択的に実行するようにしてもよい。例えば、通信機器１０に対してリアルタイムな画像を送信するか否かの設定を、予め通信機器２０ｂに設定登録しておき、通信機器２０ｂは特定の通信機器１０から着信があったときにその設定状態を判定し、リアルタイム画像を送信する設定がなされている場合には、上記ステップＳ２２５〜Ｓ２２７の処理に移行し、リアルタイム画像を送信する設定がなされていない場合には、第１の実施の形態のように、着信に応答して直ちに記録用画像を取得するための撮影動作を行うようにしても構わない。
【００９３】
以上のような処理が行われることにより、撮影機能を備えた通信機器２０ｂの遠隔制御を行う通信機器１０は、その表示部１１に、通信機器２０ｂが撮影する画像を表示することができる。そのため、記録用画像の撮影前に被写体の状態を確認したり、撮影指示に応答して撮影された記録用画像を確認することができる。特に、通信機器１０でアフタービュー表示が行われ、ユーザが表示部１１に表示される画像を確認して不満がある場合には、その場で撮り直しすることができるので、撮影の失敗を低減することができる。
【００９４】
以上のように、本実施形態の通信機器２０ｂは、画像を撮影することのできる撮像部２２を備えており、他の機器、特に予め登録された特定の機器からの音声通話用の着信に応答して、一定時間毎に撮影動作を繰り返し行うように構成されている。そのため、動画的に順次更新される画像を取得することができる。そして、通信機器２０ｂが動画的に順次更新される画像を相手先となる通信機器１０に送信することにより、通信機器１０では被写体のリアルタイムな画像を表示することができ、それによってフレーミング操作やレリーズタイミングの把握が容易になる。
【００９５】
また、通信機器２０ｂから通信機器１０に対して画像を送信する際には、パケット送信が行われるので、既存の送信方式を利用して画像を正確に送信することができる。よって、画像送信のための特別なプログラム開発等は必要でなく、低コストで通信機器２０ｂを構築することができる。
【００９６】
なお、本実施形態においても、通信機器２０ｂに対して、第２の実施の形態のようなセルフタイマ機能を持たせることは可能である。すなわち、図６のステップＳ２２７とＳ２２８との間で、図４に示したステップＳ２１４とＳ２１５の処理を行うようにすれば、セルフタイマ機能が実現される。
【００９７】
＜第４の実施の形態＞
次に、第４の実施の形態について説明する。本実施形態における通信システムの構成は、図５に示した通信システム１ｂの構成と同様である。
【００９８】
第３の実施の形態では、特定の通信機器１０からの着信に応答してフレーミング操作用等の確認用画像を取得する場合を例示した。このため、第３の実施の形態では、通信機器１０が通信機器２０に電話をかけた後、さらに撮影指示を行うためのボタン操作を行う必要があった。
【００９９】
これに対し、本実施形態では、通信機器２０ｂが着信待機状態においてフレーミング操作用等の確認用画像を取得する撮影動画を開始し、通信機器１０から着信があった場合、その着信に応答して記録用画像を撮影する場合を示し、通信機器１０を操作する回数を低減できる構成例について説明する。
【０１００】
図７は、本実施形態の通信システム１ｂにおける処理手順を示すフローチャートである。まず、被制御機となる通信機器２０ｂにおいてＣＰＵ３０が通信機器用プログラムを起動する（ステップＳ２４０）。これにより、以降の動作手順が進められるようになる。
【０１０１】
そして、特定の相手先を登録するための処理が行われる（ステップＳ２４１）。ステップＳ２４１では、図２に示したステップＳ２０１の処理と同様にして特定の相手先となる通信機器１０の登録処理が行われる。
【０１０２】
登録処理が終了すると、撮影制御部３３は撮像部２２を立ち上げる（ステップＳ２４２）。そして通信機器２０ｂは着信待機状態になる。
【０１０３】
着信待機状態では、撮影制御部３３が、撮像部２２を制御して、画像撮影を行う（ステップＳ２４３）。このとき取得される画像は、画像送信部３５に与えられ、登録処理（ステップＳ２４１）で登録された特定の通信機器１０に対してパケット送信される（ステップＳ２４４）。通信機器１０は、ステップＳ２４４において送信される画像を受信し、その画像を表示部１１に表示させる（ステップＳ１３０）。
【０１０４】
通信機器２０ｂにおいて画像送信が行われると、着信検知部３１が機能して、他の通信機器からの着信があったか否かが判定される（ステップＳ２４５）。通信機器２０ｂでは、他の通信機器からの着信を検知しない限り、ステップＳ２４３〜Ｓ２４５の処理が繰り返し実行されることになる。この繰り返し処理が一定時間間隔で行われることにより、通信機器２０ｂでは一定時間毎に画像撮影が行われ、それによって取得される画像は一定時間毎に、通信機器１０にパケット送信される。したがって、通信機器１０は、その表示部１１に表示される画像を動画的に順次更新して表示することができ、通信機器２０ｂでの撮影動作に連動したリアルタイムな画像を表示することができる。
【０１０５】
このため、通信機器１０のユーザはその表示部１１の表示画面を視認することによって、フレーミング状態を確認したり、レリーズタイミングを把握することができる。
【０１０６】
そして通信機器１０のユーザが表示画面を視認しつつ、撮影を希望するタイミングで、通信機器２０ｂに電話をかける操作を行えば、通信機器１０が通信機器２０ｂに対して音声通話用の発信を行う（ステップＳ１３１）。これにより、通信機器２０ｂの着信検知部３１は着信を検知し（ステップＳ２４５にてＹｅｓ）、ステップＳ２４６に進む。
【０１０７】
そして着信検知部３１は、着信の相手先を確認するための処理を行う（ステップＳ２４６）。ステップＳ２４６では、図２に示したステップＳ２０３の処理と同様にして着信相手先の確認処理が行われる。その結果、ステップＳ２４６で検知された着信の相手先が、予め登録された特定の相手先（すなわち、通信機器１０）であった場合、ステップＳ２４７に進む。これに対し、ステップＳ２４６で検知された着信の相手先が、登録された特定の相手先でなかった場合には、通常の音声通話を行うための処理に移行し、ステップＳ２４７以降の処理には進まない。もしくは着信を受け付けない。
【０１０８】
ステップＳ２４７に進むと、着信検知部３１は撮影制御部３３に撮影機能を制御するように指令する。またこのとき、通信機器２０は、通信機器１０からの着信状態（呼び出しを行っている状態）を強制的に切断する。そして撮影制御部３３が撮像部２２を制御して、記録用となる画像が撮影される。
【０１０９】
ステップＳ２４８では、通信機器２０ｂのＣＰＵ３０が、ステップＳ２４７で取得された画像をメモリ２３に記録保存する。
【０１１０】
以上で通信機器２０ｂの処理が終了することになる。ただし、ステップＳ２４８の画像記録が行われた後、再び一定時間毎の画像撮影と送信とを繰り返す状態（ステップＳ２４３）に戻るようにしてもよく、その場合は連続撮影を行うことが可能になる。
【０１１１】
上記のような処理が行われることにより、制御機となる通信機器１０は、通信機器２０ｂに対して電話をかける前に、通信機器２０ｂが撮影する画像を表示することができ、その画像表示によってレリーズタイミングを把握することなどができる。そして撮影を希望するタイミングで、通信機器２０ｂに電話かける操作を行うだけで、記録用の画像を撮影することができる。
【０１１２】
以上のように、本実施形態の通信機器２０ｂは、着信待機状態において、一定時間ごとに撮影動作を繰り返し行い、それによって取得される一定時間ごとの画像を、登録された特定の通信機器１０に送信するように構成されるとともに、画像の送信継続中に着信があった場合であって、当該着信の相手先が特定の通信機器１０であった場合に、当該着信に応答して、記録用の画像を撮影するための撮影動作を開始させるように構成されている。このため、通信機器１０は１回の発信を行うだけで、通信機器２０ｂに記録用画像を撮影させることができるとともに、通信機器１０が発信を行う前には、通信機器２０ｂから受信する画像を表示することによって被写体の確認を行うことができるようになっている。よって、通信機器１０を用いて、通信機器２０ｂの撮影機能を遠隔操作する際の操作性が高くなる。
【０１１３】
なお、本実施形態においても、通信機器２０ｂに対して、第２の実施の形態のようなセルフタイマ機能を持たせることは可能である。すなわち、図７のステップＳ２４６とＳ２４７との間で、図４に示したステップＳ２１４とＳ２１５の処理を行うようにすれば、セルフタイマ機能が実現される。
【０１１４】
また、本実施形態においても、通信機器２０ｂに対して、第３の実施の形態に示したようなアフタービュー機能を持たせることは可能である。すなわち、図７のステップＳ２４７とＳ２４８との間で、図６に示したステップＳ２２９とＳ２３０の処理を行うようにすれば、セルフタイマ機能が実現される。
【０１１５】
＜変形例＞
以上、本発明の実施の形態について説明したが、本発明は上述した内容に限定されるものではない。
【０１１６】
例えば、上記実施形態では、通信機器１０，２０（２０ａ，２０ｂ）が携帯電話機である場合を例示したが、これに限定されるものではない。特に、通信機器１０には、音声通話用の発信を行う機能があればよいため、据置型電話機であってもよい。また、通信機器１０と通信機器２０（２０ａ，２０ｂ）との通信形態は、無線通信である必要はなく、有線通信であっても構わない。
【図面の簡単な説明】
【０１１７】
【図１】第１の実施の形態における通信システムの構成例を示すブロック図である。
【図２】第１の実施の形態における通信システムの処理手順を示すフローチャートである。
【図３】第２の実施の形態における通信システムの構成例を示すブロック図である。
【図４】第２の実施の形態における通信システムの処理手順を示すフローチャートである。
【図５】第３及び第４の実施の形態における通信システムの構成例を示すブロック図である。
【図６】第３の実施の形態における通信システムの処理手順を示すフローチャートである。
【図７】第４の実施の形態における通信システムの処理手順を示すフローチャートである。
【符号の説明】
【０１１８】
１，１ａ，１ｂ  通信システム
１０  通信機器（特定の相手先）
２０，２０ａ，２０ｂ  通信機器
２２  撮像部（撮像手段）
３０  ＣＰＵ（マイクロコンピュータ）
３１  着信検知部
３２  登録情報
３３  撮影制御部
３４  タイマ機能部
３５  画像送信部
【図１】
2005159400.tif 000003
【図２】
2005159400.tif 000004
【図３】
2005159400.tif 000005
【図４】
2005159400.tif 000006
【図５】
2005159400.tif 000007
【図６】
2005159400.tif 000008
【図７】
2005159400.tif 000009